(57)【要約】【課題】本発明は磁気ヘッドの摩耗対策方法及び装置に関し、磁気ヘッドの寿命を伸ばすことができる磁気ヘッドの摩耗対策方法及び装置を提供することを目的としている。【解決手段】媒体１に貼られた磁気ストライプ１ａのリード／ライトができる磁気ヘッド３と、媒体１を磁気ヘッド３位置まで搬送する搬送手段１０と、搬送した媒体の磁気ストライプの位置に対して磁気ヘッド３を、少しずつ位置をずらしてリード／ライトを行なう位置調整手段１１とを有して構成される。【選択図】図２
2007095113.tif 000002
【特許請求の範囲】
【請求項１】
媒体に貼られた磁気ストライプのリード／ライトができる磁気ヘッドを有し、媒体をモータで磁気ヘッド位置まで搬送し、
搬送した通帳の磁気ストライプの位置に対して磁気ヘッドを、少しずつ位置をずらしてリード／ライトを行なうことを特徴とする磁気ヘッドの摩耗対策方法。
【請求項２】
媒体に貼られた磁気ストライプのリード／ライトができる磁気ヘッドと、
媒体を磁気ヘッド位置まで搬送する搬送手段と、
搬送した通帳の磁気ストライプの位置に対して磁気ヘッドを、少しずつ位置をずらしてリード／ライトを行なう位置調整手段と、
を有することを特徴とする磁気ヘッドの摩耗対策装置。
【発明の詳細な説明】
【技術分野】
【０００１】
本発明は磁気ヘッドの摩耗対策方法及び装置に関する。本発明は、媒体に貼られている磁気ストライプ（ＭＳ）を磁気ヘッドで読み書き（リード／ライト）する際の媒体セットの制御に関するものである。
【背景技術】
【０００２】
金融機関では、従来から通知に磁気ストライプ（以下ＭＳと略す）を貼り、口座番号や最終印字行などのデータを記録して処理に利用している。そのデータは、装置に搭載されている磁気ヘッドにより読み書きが行われる。この場合において、リード／ライトを行なう際は、ＭＳと磁気ヘッドは接触する。そのために、ＭＳと磁気ヘッドは微小ではあるが、動作の度に摩耗している。
【０００３】
通帳が取引毎に入れ代わるのに対し、磁気ヘッドは連続して使用されるため、ＭＳに比べて磁気ヘッドの方が摩耗の進行が早い。更に、同じ位置に媒体がセットされるため、ストライプ幅の方が磁気ヘッドより狭いと、ＭＳが接触している磁気ヘッドの中心付近だけが削られていき、外側部分はほとんど削れない。そのため、摩耗が進行していくと磁気ヘッドの表面がくぼんだ形になる。
【０００４】
従来のこの種の装置としては、所定のギャップ深さを有する対向するコア部により磁気ギャップを形成し、該磁気ギャップを挟んで対向配置された少なくとも一対のコア部を磁気媒体と摺接し、信号の記録及び再生の少なくとも一方を行なう磁気ヘッドのコア部における摩耗を検出する検出手段を設けてヘッドの摩耗量が所定の大きさになったことを検出するものが知られている（例えば特許文献１参照）。また、反対方向に延設される第１ビーム及び第２ビームからなる２本の指示ビームを備えた支持体で接触型磁気ヘッドに対して所定の押圧力を付与するようにしたものが知られている（例えば特許文献２参照）。
【特許文献１】特開２００１−２０２６０７号公報（段落００２１〜００２３、図１〜図３）
【特許文献２】特開２００１−１１０１５８号公報（段落００３２〜００４８、図１〜図５）
【発明の開示】
【発明が解決しようとする課題】
【０００５】
前記したように、磁気ヘッドの表面がくぼんだ形になる結果、削れた部分とそうでない部分のギャップが次第に大きくなっていく。このような状態になると、媒体のセット位置が少しずれただけで磁気ヘッドとＭＳが接触しないところが部分的にできるため、正常に読み書きができなくなってしまう。以下に示すような通帳を使用する取引の場合、ＭＳを読み書きすることは不可欠な処理である。このため、この処理が正常にできないと、処理を終了するまでに時間がかかってしまったり、処理自体ができなかったりする場合がある。
【０００６】
その結果、顧客（預金者）に対するサービスの品質（顧客満足度）の低下を招く。また、頻繁に異常が発生することは、製品やメーカ、ひいてはその製品を使用している金融機関に対する印象を悪くすることにつながる。異常が多発するヘッドに対しては交換の処置がとられるが、交換が頻繁に発生することで、磁気ヘッドの寿命が短いと判断されてしまう。
【０００７】
磁気ヘッドの寿命が短いことは他社と比較された時に、連続可動時間や保守頻度等のメンテナンスの面でマイナスとみられてしまうことも考えられる。また、ＡＴＭ（現金自動預け払い機）に搭載した場合には、２４時間運用や無人店舗運用等において連続して安定した運用が図れず、金融機関の要求にこたえることができないことも考えられる。そこで、摩耗を軽減させるために製造工程で磁気ヘッドの接触面をコーティングする方法があるが、加工のためのコストの増加や製造工程の煩雑化を発生させるという問題がある。
【０００８】
本発明はこのような課題に鑑みてなされたものであって、磁気ヘッドの寿命を伸ばすことができる磁気ヘッドの摩耗対策方法及び装置を提供することを目的としている。
【課題を解決するための手段】
【０００９】
（１）請求項１記載の発明は、媒体に貼られた磁気ストライプのリード／ライトができる磁気ヘッドを有し、媒体をモータで磁気ヘッド位置まで搬送し、搬送した通帳の磁気ストライプの位置に対して磁気ヘッドを、少しずつ位置をずらしてリード／ライトを行なうことを特徴とする。
（２）請求項２記載の発明は、媒体に貼られた磁気ストライプのリード／ライトができる磁気ヘッドと、媒体を磁気ヘッド位置まで搬送する搬送手段と、搬送した通帳の磁気ストライプの位置に対して磁気ヘッドを、少しずつ位置をずらしてリード／ライトを行なう位置調整手段とを有することを特徴とする。
【発明の効果】
【００１０】
（１）請求項１記載の発明によれば、磁気ストライプに接する磁気ヘッドの位置を少しずつ変えることにより、磁気ヘッドの特定部分だけが摩耗することを防止し、磁気ヘッドの寿命を伸ばすことができる。
（２）請求項２記載の発明によれば、磁気ストライプに対して、磁気ヘッドの位置を少しずつ変えることにより、磁気ヘッドの特定部分だけが摩耗することを防止し、磁気ヘッドの寿命を伸ばすことができる。
【発明を実施するための最良の形態】
【００１１】
以下、図面を参照して本発明の実施の形態例を詳細に説明する。図１は通帳処理部の機械的構成例を示す図である。図において、１は媒体としての通帳、２は通帳１を内部に引き込む搬送ローラ、３は通帳１のＭＳに記載されている情報の読み取り、又は通帳１への情報の書き込むを行なう磁気ヘッド（ＭＳユニット）である。４は光学系の位置を読み取るスキャナ、５は通帳１に取引情報を印字する印字ヘッド、６は通帳１の捲り動作を行なう自動捲り機構、７は通帳１を搬送するための搬送モータ、８は全体の動作を制御する制御部である。該制御部８としては、例えばＣＰＵが用いられる。このように構成された装置の動作を説明すれば、以下の通りである。
【００１２】
先ず、搬送ローラ２により通帳１が内部に引き込まれる。磁気ヘッド３は、図示しない位置制御機構によりその位置を調整され、通帳１に貼られているＭＳの情報を読み取り、制御部８に通知する。制御部８は読み取られた情報を元に中央サーバ（図示せず）に送信する。そして、中央サーバから顧客情報の確認の情報が入ると、通帳処理手続きを開始する。通帳１の搬送機構を制御して通帳の印字位置を決める。そして、決められた印字位置に所定の情報を印字する。当該ページの印刷領域が全て埋まったら、制御部８は搬送モータ７を起動して通帳１を自動捲り機構６まで搬送する。そして、該通帳１のページを捲る。ページの捲りが終了したら、元の位置に戻り、印字を続ける。印字が終了したら、搬送機構７が通帳１を反対方向に搬送し、通帳挿入口から通帳１を排出する。
【００１３】
本発明によれば、通帳１が引き込まれる度に、磁気ヘッド３のＭＳに対する位置を少しずつ移動させる。この結果、磁気ヘッドの特定位置が常にＭＳと接触するということがなくなり、磁気ヘッドの寿命を伸ばすことができる。
【００１４】
図２は本発明の一実施の形態例を示す構成図である。図１と同一のものは、同一の符号を付して示す。図において、１ａは通帳１に貼りつけられた磁気ストライプ（ＭＳ）である。３は該ＭＳ１ａに対してデータの書き込み（ライト）と読み込み（リード）を行なう磁気ヘッドである。１１は該磁気ヘッド３をデータのリード／ライト毎に少しずつ移動させる位置調整手段である。８は装置全体の動作の制御を行なう制御部、１０は該制御部８の指示により媒体（通帳）を搬送させる搬送手段としての搬送装置である。前記位置調整手段１１は制御部８から制御信号を受けて、磁気ヘッド３を移動させるようになっている。このように構成された装置の動作をフローチャートを用いて説明する。
【００１５】
図２に示す装置の動作の概要は、以下の通りである。制御部８は、磁気ヘッド３に対して位置調整手段１１を介して読み取り及び書き込みの指示を行なう。また、搬送装置１０に対しては、媒体（通帳）１の吸入、排出の指示を行なう。媒体１のＭＳ１ａと磁気ヘッド３の位置を合わせるための搬送の指示も搬送装置１０に対して行なう。搬送装置１０は、制御部８から受け取った指示に応じて、モータの回転方向や速度を決定する。
【００１６】
モータを回転させながら、相の切り替え回数（ステップ数）をカウントする。回転開始から指定したステップ数に達した時や、指定したセンサの状態が変化してから、指定したステップ数に達した時にモータを停止させる。この停止条件（停止ステップ数）を調整することで、媒体（通帳）１のＭＳと磁気ヘッド３の位置関係を調整することができる。
【００１７】
図３は本発明の通帳取引処理を示すフローチャートである。装置としては、図１と図２を用いる。取引を開始すると、媒体（通帳）がセットされるのを待つ（Ｓ１）。媒体がセットされ吸入されると、制御部８は位置調整手段１１に制御信号を送り、磁気ヘッド３のセット位置を調整する（Ｓ２）。磁気ヘッド３のセット位置が決まったら、ＭＳ（磁気ストライプ）からのリードを行なう（Ｓ３）。制御部８は、ＭＳ１ａから情報をリードしたら、その内容で中央サーバ（図示せず）に送信し、中央サーバのデータベースに記憶されている当該通帳の内容を読み出す。次に、制御部８は搬送装置１０を制御して通帳１を印字位置にセットする（Ｓ４）。
【００１８】
次に、印字する情報があるかどうかチェックする（Ｓ５）。中央サーバから読み出した情報がある場合には、印字ヘッド５から通帳１に印字を行なう（Ｓ６）。印字したら、印字継続かどうかをチェックする（Ｓ７）。印字継続の場合には、最終行の印字であるかどうかチェックする（Ｓ８）。最終行の印字である場合には、制御部８は通帳１を移動捲り機構６まで移動させてページ捲りを行なう（Ｓ９）。そして、新しいページの１行目から次の印字を行なう。ステップＳ８において、最終行でない場合には、当該通帳に次の印字を行なう。ステップＳ７で印字継続でなかった場合には、ステップＳ１０にスキップする。
【００１９】
そして、最終行の印字であるかどうかチェックし（Ｓ８）、最終行である場合には、印字処理を終了する。印字処理が終了すると、制御部８は位置調整手段１１に制御信号を送り、ＭＳ位置搬送を行ない、磁気ヘッド３を少しずらしてやる（Ｓ１０）。そして、磁気ヘッド３からＭＳ１ａに対して新しい情報をライト（書き込み）する（Ｓ１１）。ＭＳ１ａへの情報のライトが終了したら、制御部８は搬送モータ７を用いて搬送装置１０により通帳（媒体）１を排出し（Ｓ１２）、媒体抜き取り待ち状態になる（Ｓ１３）。ユーザは、媒体挿入口から排出される媒体１を抜き取る。
【００２０】
次に、図３のステップＳ２とＳ１０で行なったＭＳのリード／ライト動作の詳細について説明する。図４は本発明の動作を示すフローチャートであり、磁気ヘッドの動作を示している。先ず、制御部８は基準セット位置のステップ数をセットする（Ｓ１）。図５を用いて説明する。図５はＭＳと磁気ヘッドの位置関係を示す図である。（ａ）はライト時の磁気ヘッドと磁気ストライプ（ＭＳ）の位置関係（従来のリードも同様）を示している。この図から、磁気ヘッドの中心と磁気ストライプ（ＭＳ）の中心が一致していることが分かる。
【００２１】
次に、制御部８は、リード（読み込み）指示があったかどうかチェックする（Ｓ２）。ない場合には、ステップＳ６までスキップする。リード指示があった場合、前回補正が＋方向であるかどうかチェックする（Ｓ３）。前回補正が＋方向でなかった場合には、磁気ヘッドの基準セット位置に対して＋方向に補正する（Ｓ５）。この場合、ステップ数に加算することになる。そして、補正方向＋を記憶する。図５の（ｂ）は、この場合には、＋方向に補正した時の磁気ヘッドと磁気ストライプ（ＭＳ）の位置関係は、磁気ヘッドの上端と磁気ストライプの上端とが一致していることを示す。
【００２２】
次に、ステップＳ３で前回補正が＋方向であった場合には、今度は基準セット位置に対して−方向に補正する。この場合、ステップ数に減算することになる。そして、補正方向を−方向に補正する（Ｓ４）。この場合、ステップ数から減算することになる。そして、補正方向−を記憶する。図５の（ｃ）は、この場合には、−方向に補正した時の磁気ヘッドと磁気ストライプ（ＭＳ）の位置関係は、磁気ヘッドの下端と磁気ストライプ（ＭＳ）の下端とが一致していることを示す。
【００２３】
このように、磁気ヘッドをＭＳに対して±方向に移動させることにより、磁気ヘッドの位置を交互に使用することができ、磁気ヘッドの摩耗がバランスよくなるようにすることができる。この実施の形態例によれば、磁気ヘッドの寿命を全体として伸ばすことができる。再び図４の工程に戻る。磁気ヘッドの位置合わせが終了したら、設定した位置に媒体（通帳）をセットし（Ｓ６）、ＭＳリード／ライト動作を行なう（Ｓ７）。
【００２４】
ここで、ライト指示の時は、ＭＳ全体にデータが確実にライトできるようにＭＳの中心と磁気ヘッドの中心が合う位置に媒体をセットしている（この位置であれば、確実にＭＳ全体にデータがライトされる）。一方、リード指示の時はヘッド中心部にあるリードコアがＭＳに入っていればデータを読み取ることが可能なのでリードコアがＭＳに入る範囲であれば、セット位置がずれていても問題ない。
【００２５】
図６はヘッド摩耗の経過を示す図である。（ａ）は従来方法でのヘッド摩耗を、（ｂ）は本発明でのヘッド摩耗を示している。図中黒い部分が摩耗した部分を示している。（ａ）に示す従来装置の場合、リード動作、ライト動作を行なっていく内に、磁気ヘッドの中心部分が徐々に削られていく状態が示されている。これに対して、（ｂ）に示す本発明では、リード／ライト動作毎に磁気ヘッドの使用部分を変えているので、（ｂ）に示すように、磁気ヘッドの摩耗は中心付近だけではなく、その周囲部分に対しても摩耗していることが分かる。そして、トータルでは、（ａ）に示す従来の場合と比較して磁気ヘッドの摩耗が磁気ヘッド面に対してバランスしていることが分かる。この結果、磁気ヘッドの寿命が長くなる。
【００２６】
図７は磁気ヘッドの構造を示す図である。３は磁気ヘッドであり、ライト方向に対してはライトコア３ｂが情報を書き込み、リード方向に対してはリードコア３ａがデータを読み出すようになっている。
【００２７】
図８は媒体セット位置調整方法の説明図である。基準セット位置においては、磁気ヘッドの中心とＭＳの中心が一致している。ここで、ステップ数をαだけ加算すると、磁気ヘッドの位置は中心位置から下にずれ、ステップ数をαだけ減算すると、磁気ヘッドの位置は上側にずれる。セット基準センサ２０は、磁気ヘッドとＭＳとのセット位置をカウントしており、制御部８に通知する。
【００２８】
図９は本発明装置の構成例を示す図である。図１，図２と同一のものは、同一の符号を付して示す。（ａ）は上から見た図、（ｂ）は横から見た図である。３ｄ、３ｅは磁気ヘッドである。磁気ヘッド１（３ｄ）は縦方向に配置された磁気ヘッド、磁気ヘッド２（３ｅ）は横方向に配置された磁気ヘッドである。図では、挿入口が２個設けられているが、下側の挿入口は、通常の通帳が挿入・排出され、上側の挿入口はローラ２６により伝票等が挿入・排出されるものである。２１は通帳の移動動作を行なうローラであり、ここではローラ１〜ローラ６までが示されている。
【００２９】
４は光学系の通帳の位置やバーコードを読み取るスキャナユニット、５は通帳に印字する印字ヘッド、２２は通帳が折り返されるターンページ部である。２４は外部フレームである。最終段のローラ５，６により前述したページ捲りが行われる。２５は、磁気ヘッド３ｄ、３ｅ、スキャナユニット４等にパワーを供給する電源ユニットである。磁気ヘッド３ｄ、３ｅとでＭＳユニット部３を構成している。
【００３０】
上述の実施の形態例では、媒体として通帳に貼り付けられた磁気ストライプ（ＭＳ）を用いた場合を例にとったが、本発明はこれに限られるものではなく、磁気ヘッドによりリード／ライトできるものであれば、通帳に張られた媒体に限るものではない。その他の種類の磁気記録媒体を用いることができる。
【００３１】
以上、詳細に説明したように、本発明によれば磁気ヘッドが均一に摩耗することにより、ＭＳと磁気ヘッドとの安定した接触が図られる。これにより、読み書き（リード／ライト）の際の異常が軽減されるため、顧客（預金者）に対するサービスの向上が見込まれる。また、磁気ヘッド自体の延命化を図ることができるため、ＭＳリーダの交換をする必要がなくなり、装置寿命まで使用することが可能になる。更に、磁気ヘッドを製造する際には摩耗対策を実施する必要がないため、磁気ヘッドの加工、製造が容易になり、低価格化、製造工程の簡略化が図れる。
【図面の簡単な説明】
【００３２】
【図１】通帳処理部の機械的構成例を示す図である。
【図２】本発明の一実施の形態例を示す構成図である。
【図３】本発明の通帳取引処理を示すフローチャートである。
【図４】本発明の動作を示すフローチャートを示す図である。
【図５】ＭＳと磁気ヘッドの位置関係を示す図である。
【図６】ヘッド摩耗の経過を示す図である。
【図７】磁気ヘッドの構造を示す図である。
【図８】媒体セット位置調整方法の説明図である。
【図９】本発明装置の構成例を示す図である。
【符号の説明】
【００３３】
１ａ  磁気ストライプ（ＭＳ）
３    磁気ヘッド
８    制御部
１０  搬送装置
１１  位置調整手段
【図１】
2007095113.tif 000003
【図２】
2007095113.tif 000004
【図３】
2007095113.tif 000005
【図４】
2007095113.tif 000006
【図５】
2007095113.tif 000007
【図６】
2007095113.tif 000008
【図７】
2007095113.tif 000009
【図８】
2007095113.tif 000010
【図９】
2007095113.tif 000011